(57)【要約】【課題】表示パターンの設定作業に要する手間を軽減することができる薬剤包装装置を提供する。【解決手段】薬剤包装装置１０１は、包材１０に表示部を形成する表示部形成部２０と、服用タイミングごとに表示パターンが関連付けられた組合せの集合体を含む複数の表示パターンセット７１を含むデータの集合体である表示パターンマスタ７０を記憶する記憶部８４と、処方データ７２を受け付ける処方データ受付部８６と、包材１０に表示部を形成するように、表示部形成部２０を制御する制御部としての第２制御部８３とを備える。第２制御部８３による包材１０への表示部の形成は、処方データ受付部８６によって受け付けた処方データ１０と、表示パターンマスタ７０から選択された１つの表示パターンセット７１とに基づいて、前記服用タイミングに関連付けられた前記表示パターンに従って行なわれる。【選択図】図２５
2019017850.tif 000002
【特許請求の範囲】
【請求項１】
薬剤を包材で包装する薬剤包装装置であって、
前記包材に表示部を形成する表示部形成部と、
複数の服用タイミングにわたって前記服用タイミングごとに表示パターンが関連付けられた組合せの集合体を含むデータの集合体を表示パターンセットと呼ぶこととしたときに、複数の表示パターンセットを含むデータの集合体である表示パターンマスタを記憶する記憶部と、
処方データを受け付ける処方データ受付部と、
前記包材に表示部を形成するように、前記表示部形成部を制御する制御部とを備え、
前記制御部による前記包材への表示部の形成は、前記処方データ受付部によって受け付けた前記処方データと、前記記憶部に記憶された前記表示パターンマスタに含まれる前記複数の表示パターンセットの中から選択された１つの表示パターンセットとに基づいて、前記服用タイミングに関連付けられた前記表示パターンに従って行なわれる、薬剤包装装置。
【請求項２】
前記表示パターンマスタの編集を受け付ける編集受付部をさらに備え、
前記服用タイミングは、食事、起床または就寝を基準に定められる複数の服用時期と一日の中の時間帯を基準に定められる複数の時点との組合せで表され、
前記編集受付部は、表示パターンマスタ編集画面を表示し、
前記表示パターンマスタ編集画面には、選択された表示パターンセットごとに前記服用タイミングと前記表示パターンとの対応関係がマトリックス表示され、前記マトリックス表示の行および列のうち一方には、前記複数の服用時期が表示され、前記マトリックス表示の行および列のうち他方には、前記複数の時点が表示され、前記マトリックス表示の個々の要素として、前記表示パターンが表示され、
前記編集受付部は、前記マトリックス表示の個々の要素ごとに、前記表示パターンの編集を受け付ける、請求項１に記載の薬剤包装装置。
【請求項３】
前記表示部形成部は、
複数のペンを保持するペン保持部と、
前記ペン保持部によって保持された前記複数のペンを選択的に、前記包材に対して当接または離隔させるように、前記ペン保持部を駆動する駆動機構とを備え、
前記表示パターンセットは、前記ペン保持部によって保持される前記複数のペンの、位置と色との関係を表すペン配置データを含み、
前記表示パターンマスタ編集画面には、前記ペン配置データの内容がさらに表示され、
前記編集受付部は、前記ペン配置データの編集を受け付ける、請求項２に記載の薬剤包装装置。
【請求項４】
前記編集受付部は、前記ペン配置データの編集を受け付けたとき、その編集結果を、前記表示パターンマスタ編集画面にマトリックス表示される、前記表示パターンセットの前記服用タイミングと前記表示パターンとの対応関係に反映させる、請求項３に記載の薬剤包装装置。
【請求項５】
前記編集受付部は、
前記複数の表示パターンセットのうち一の表示パターンセットについて、前記ペン配置データの編集を受け付けたとき、当該ペン配置データと、前記複数の表示パターンセットのうち他の表示パターンセットの前記ペン配置データとを比べて、色の組合せが同じで位置が異なるのみであるか否かを判断し、
色の組合せが同じで位置が異なるのみであると判断すると、前記一の表示パターンセットにおける前記ペン配置データを、前記他の表示パターンセットにおける前記ペン配置データに置き換えるか否かをユーザに問い合わせ、
置き換える旨の回答を受け付けると、前記一の表示パターンセットにおける前記ペン配置データを、前記他の表示パターンセットにおける前記ペン配置データに置き換える、請求項３または４に記載の薬剤包装装置。
【請求項６】
前記記憶部には、指定区分マスタがさらに記憶され、
前記指定区分マスタには、指定された区分ごとに、前記複数の表示パターンセットのうちの１つを関連付けて登録可能であり、
前記処方データは、区分を表すデータを含み、
前記制御部は、前記処方データ受付部によって受け付けた前記処方データと、前記記憶部に記憶された前記指定区分マスタとに基づいて、前記表示パターンマスタに含まれる前記複数の表示パターンセットのうちの１つを選択する、請求項１から５のいずれか１項に記載の薬剤包装装置。
【請求項７】
前記記憶部には、患者マスタがさらに記憶され、
前記患者マスタには、患者ごとに、前記複数の表示パターンセットのうちの１つを関連付けて登録可能であり、
前記処方データは、患者を表すデータを含み、
前記制御部は、前記処方データ受付部によって受け付けた前記処方データと、前記記憶部に記憶された前記患者マスタとに基づいて、前記表示パターンマスタに含まれる前記複数の表示パターンセットのうちの１つを選択する、請求項１から５のいずれか１項に記載の薬剤包装装置。
【請求項８】
前記記憶部には、指定区分マスタおよび患者マスタがさらに記憶され、
前記指定区分マスタには、指定された区分ごとに、前記複数の表示パターンセットのうちの１つを関連付けて登録可能であり、
前記患者マスタには、患者ごとに、前記複数の表示パターンセットのうちの１つを関連付けて登録可能であり、
前記処方データは、区分を表すデータおよび患者を表すデータを含み、
前記制御部は、前記処方データ受付部によって受け付けた前記処方データと、前記記憶部に記憶された、前記指定区分マスタおよび前記患者マスタとに基づき、かつ、前記指定区分マスタよりも前記患者マスタを優先的に適用して、前記表示パターンマスタに含まれる前記複数の表示パターンセットのうちの１つを選択する、請求項１から５のいずれか１項に記載の薬剤包装装置。
【発明の詳細な説明】
【技術分野】
【０００１】
本発明は、薬剤包装装置に関するものである。
【背景技術】
【０００２】
薬剤包装装置である薬剤分包装置の一例が特開２００１−５０８号公報（特許文献１）に記載されている。特許文献１に記載された装置は、表示部形成装置を備える。この表示部形成装置においては、色の異なる複数のペンを支持している。フレームに、複数のペンにそれぞれ対応するように複数のソレノイドが取り付けられている。各ペンのペン先は、ソレノイドによって薬包帯に押し付けられる。各ペンは、ソレノイドが動作しないときにはフレームに形成された溝に収納されるように構成されている。
【先行技術文献】
【特許文献】
【０００３】
【特許文献１】特開２００１−５０８号公報
【発明の概要】
【発明が解決しようとする課題】
【０００４】
特許文献１に記載された表示部形成装置では、複数のペンを使い分けることができる。したがって、色が異なる複数のペンを備えて各色にそれぞれ服用時期などの意味付けをした上で表示部を形成することが考えられる。
【０００５】
しかし、特許文献１に記載された措置では、表示パターンの設定作業に手間を要する。
そこで、本発明は、表示パターンの設定作業に要する手間を軽減することができる薬剤包装装置を提供することを目的とする。
【課題を解決するための手段】
【０００６】
上記目的を達成するため、本発明に基づく薬剤包装装置は、薬剤を包材で包装する薬剤包装装置であって、前記包材に表示部を形成する表示部形成部と、複数の服用タイミングにわたって前記服用タイミングごとに表示パターンが関連付けられた組合せの集合体を含むデータの集合体を表示パターンセットと呼ぶこととしたときに、複数の表示パターンセットを含むデータの集合体である表示パターンマスタを記憶する記憶部と、処方データを受け付ける処方データ受付部と、前記包材に表示部を形成するように、前記表示部形成部を制御する制御部とを備え、前記制御部による前記包材への表示部の形成は、前記処方データ受付部によって受け付けた前記処方データと、前記記憶部に記憶された前記表示パターンマスタに含まれる前記複数の表示パターンセットの中から選択された１つの表示パターンセットとに基づいて、前記服用タイミングに関連付けられた前記表示パターンに従って行なわれる。
【発明の効果】
【０００７】
本発明によれば、表示パターンの設定作業に要する手間を軽減することができる。
【図面の簡単な説明】
【０００８】
【図１】本発明に基づく実施の形態１における薬剤包装装置の斜視図である。
【図２】本発明に基づく実施の形態１における薬剤包装装置の一部である包装機本体部の内部の模式図である。
【図３】本発明に基づく実施の形態１における薬剤包装装置で用いられる包材の説明図である。
【図４】本発明に基づく実施の形態１における薬剤包装装置が備えるホッパ部材の近傍の説明図である。
【図５】本発明に基づく実施の形態１における薬剤包装装置が備える表示形成部と包材との位置関係の説明図である。
【図６】本発明に基づく実施の形態１における薬剤包装装置が備える表示形成部の第１の斜視図である。
【図７】本発明に基づく実施の形態１における薬剤包装装置が備える表示形成部の第２の斜視図である。
【図８】本発明に基づく実施の形態１における薬剤包装装置が備える表示形成部の第３の斜視図である。
【図９】本発明に基づく実施の形態１における薬剤包装装置が備える表示形成部の正面図である。
【図１０】本発明に基づく実施の形態１における薬剤包装装置が備える表示形成部の側面図である。
【図１１】本発明に基づく実施の形態１における薬剤包装装置が備える表示形成部の背面図である。
【図１２】本発明に基づく実施の形態１における薬剤包装装置が備えるペンユニットの第１の斜視図である。
【図１３】本発明に基づく実施の形態１における薬剤包装装置が備えるペンユニットの第２の斜視図である。
【図１４】本発明に基づく実施の形態１における薬剤包装装置が備えるペンユニットの側面図である。
【図１５】本発明に基づく実施の形態１における薬剤包装装置が備えるペン保持部の第１の斜視図である。
【図１６】本発明に基づく実施の形態１における薬剤包装装置が備えるペン保持部の第２の斜視図である。
【図１７】本発明に基づく実施の形態１における薬剤包装装置が備えるペン保持部の正面図である。
【図１８】本発明に基づく実施の形態１における薬剤包装装置が備えるペンの斜視図である。
【図１９】本発明に基づく実施の形態１における薬剤包装装置が備える保持部蓋の第１の斜視図である。
【図２０】本発明に基づく実施の形態１における薬剤包装装置が備える保持部蓋の第２の斜視図である。
【図２１】本発明に基づく実施の形態１における薬剤包装装置が備える保持部蓋の側面図である。
【図２２】本発明に基づく実施の形態１における薬剤包装装置が備える保持部蓋の平面図である。
【図２３】本発明に基づく実施の形態１における薬剤包装装置が備える表示部形成部から保持部蓋を取り外した状態の斜視図である。
【図２４】本発明に基づく実施の形態１における薬剤包装装置が備える表示部形成部から保持部蓋を取り外し、さらに複数のペンの全てを抜き取った状態の斜視図である。
【図２５】本発明に基づく実施の形態１における薬剤包装装置の概念図である。
【図２６】本発明に基づく実施の形態１における薬剤包装装置の編集受付部によって表示される基本的なメニュー画面を示す図である。
【図２７】本発明に基づく実施の形態１における薬剤包装装置の編集受付部によって表示される１つの表示パターンセットの内容の編集画面を示す図である。
【図２８】本発明に基づく実施の形態１における薬剤包装装置において、カラーパレットを選択するメニューが出た状態の画面を示す図である。
【図２９】本発明に基づく実施の形態１における薬剤包装装置において、色および線種を選択するメニューが出た状態の画面を示す図である。
【図３０】本発明に基づく実施の形態１における薬剤包装装置において、表示パターンセットの初期状態を示す画面を示す図である。
【図３１】登録しようとするペン配置データの一例を示す図である。
【図３２】既に登録されているペン配置データの一例を示す図である。
【図３３】本発明に基づく実施の形態２における薬剤包装装置の概念図である。
【図３４】本発明に基づく実施の形態２における薬剤包装装置において表示される指定区分マスタの編集画面を示す図である。
【図３５】本発明に基づく実施の形態３における薬剤包装装置の概念図である。
【図３６】本発明に基づく実施の形態４における薬剤包装装置の概念図である。
【発明を実施するための形態】
【０００９】
（実施の形態１）
（構成）
図１〜図３０を参照して、本発明に基づく実施の形態１における薬剤包装装置について説明する。本実施の形態における薬剤包装装置１０１の外観を図１に示す。図１に示すように、薬剤包装装置１０１は、包装機本体部８１と、第１制御部８２とを備える。包装機本体部８１は、前面の一部に開閉可能な前扉６３を備える。包装機本体部８１は、前面に取出し口６４を有する。薬剤包装装置１０１は、清掃ノズル６５を備える。清掃ノズル６５はホース６６を介して包装機本体部８１に接続されている。包装機本体部８１は、上面に錠剤投入部６１と散剤投入口６２ａ，６２ｂとを備える。第１制御部８２は、ディスプレイ８２ａとキーボード８２ｂとを備える。
【００１０】
包装機本体部８１の内部のいくつかの構成要素について模式的に図２に示す。図２に示すのは、包装機本体部８１の内部の構成のあくまで一例である。図２に示すように、包装機本体部８１は、上部にホッパシュート１１を備える。ホッパシュート１１の下端はホッパ部材１２の内部に薬剤を落とすように配置されている。ホッパ部材１２の下端は二つ折りになっている包材１０の隙間に薬剤を落とすように配置されている。包材１０は、たとえば包装シートである。包材１０は、たとえばセロハンを主材料とする基材と、熱溶着可能な層、すなわちたとえばポリエチレンを主材料とする層との２層構造であってよい。包材１０は、ロール１３の状態で包装機本体部８１の内部に設置されている。ロール１３は、たとえば前扉６３を開けることによってユーザがアクセス可能な位置に配置されている。ユーザは、前扉６３を開けた状態でロール１３を交換することができる。ロール１３から繰り出された包材１０は、矢印９１に示すように適宜送られ、ホッパ部材１２の下端を受け入れつつ搬送される。包材１０は、図３に示すように二つ折りとなっている。包材１０は、左側部１０ａと右側部１０ｂとを含む。左側部１０ａと右側部１０ｂとは、底部１０ｃを介してつながっている。包材１０は、図３に示す矢印９３のように進行する。図４に示すように、ホッパ部材１２は、上部にホッパ部材入口６７を有し、下部にホッパ部材出口６８を有する。ホッパ部材１２の下部は、包材１０の左側部１０ａと右側部１０ｂとの間に挿入されている。薬剤１は、ホッパ部材入口６７からホッパ部材１２の内部に投入され、包材１０の左側部１０ａと右側部１０ｂとの間に落下する。包材１０は、シール機構１４によってシールされる。送りローラ１６によって包材１０は矢印９３の向きに搬送される。
【００１１】
包装機本体部８１の内部において、適当な箇所に表示部形成部２０が設置される。以下では、包材１０が搬送される方向に沿って、「上流」および「下流」という表現を用いる。表示部形成部２０は、図２に例示したようにホッパ部材１２が包材１０の隙間に薬剤１を落下させる位置よりも上流側に配置されてもよく、シール機構１４より下流側に配置されてもよい。
【００１２】
表示部形成部２０が包材１０に対して作用する部分の一例を図５に示す。ここでは、ガイドバー１７によって包材１０の進行方向が切り替わる箇所において、表示部形成部２０が包材１０に近接して配置されている。表示部形成部２０は、ペンユニット２１と、ペンユニット支持機構２２とを含む。ペンユニット２１はペンユニット支持機構２２によって支持されている。
【００１３】
ここではガイドバー１７によって包材１０の進行方向が切り替わる箇所において表示部形成部２０が包材１０に近接して配置され、この位置で包材１０に対する書き込み作業が行なわれるものとして示したが、これはあくまで一例である。表示部形成部２０は、包材１０は平坦な状態で搬送されている区間の途中において包材１０に近接して配置され、この位置で包材１０に対する書き込み作業が行なわれるものであってもよい。
【００１４】
表示部形成部２０を単独で取り出して斜め下から見たところを図６に示す。図６に示すように、ペンユニット２１は、覆い部本体２１ａと、ペン保持部２３と、ペン保持部ソケット３０とを備える。ペン保持部ソケット３０はペン保持部２３の前端近傍の一部を受け入れるカップ形状の部材である。ペン保持部２３は、ペンユニット２１のうちペン保持部２３以外の部分に対して着脱可能である。ペンユニット２１は、複数のペン２４を備える。ここでは、ペン２４の数は４であるものとして説明するが、ペン２４の数を４としたのはあくまで一例であって、ペン２４の数は４以外であってもよい。たとえばペンユニット２１はペン２４を１つしか備えない構成であってもよい。ペン２４は、ペン保持部ソケット３０の底面に設けられた貫通孔を通過して覆い部本体２１ａの内側において突出している。
【００１５】
表示部形成部２０を異なる向きから見たところを図７に示す。図７に示すように、ペン保持部２３は保持部蓋２６を備える。保持部蓋２６はボタン２６ａを備える。ボタン２６ａは保持部蓋２６の外周の１ヶ所において外向きに突出するように設けられている。表示部形成部２０をさらに異なる向きから見たところを図８に示す。ペンユニット２１は、覆い部本体２１ａの内側に重なるように可動部２７を備える。ペンユニット２１は、覆い部３１を備える。覆い部３１は、覆い部本体２１ａと可動部２７とを含む。図８では可動部２７が開いている状態を示している。ペンユニット支持機構２２は、ペンユニット２１に対向するように第１の磁気センサ２８ａおよび第２の磁気センサ２８ｂを備える。ペンユニット支持機構２２は、ステッピングモータ４１，４２を備える。ステッピングモータ４１による回転は、歯車４３を介してペンユニット２１に伝達される。
【００１６】
表示部形成部２０の正面図を図９に示し、側面図を図１０に示し、背面図を図１１に示す。図９に示すように、本実施の形態では、ペンユニット２１の外周面に沿うように第１の磁気センサ２８ａおよび第２の磁気センサ２８ｂが配置されている。
【００１７】
ペンユニット２１を単独で取り出したところを図１２に示す。ペンユニット２１は、前側の端部に覆い部本体２１ａを備える。ペンユニット２１の内部に配置された複数のペン２４は、互いに平行に配置されている。複数のペン２４は、軸線９０の周りに配置されている。複数のペン２４はそれぞれペン先２４ａを有する。複数のペン２４のペン先２４ａは、同じ向きを向いている。複数のペン２４のペン先２４ａは、軸線９０に垂直な一定の平面内に配置されている。可動部２７は、軸線９０を中心として回動可能となっている。保持部蓋２６は、複数の磁石２６ｅを備える。複数の磁石２６ｅは保持部蓋２６の外周面においてそれぞれ間隔をあけて配置されている。複数の磁石２６ｅは、複数のペン２４にそれぞれ対応するように配置されている。複数の磁石２６ｅは等角度間隔で配置されていてもよい。
【００１８】
ペンユニット２１を異なる向きから見たところを図１３に示す。ペン保持部２３は、ペン保持部本体２５と保持部蓋２６とを備える。保持部蓋２６はペン保持部本体２５の後端に接続されている。保持部蓋２６は、中心孔２６ｆを有する。保持部蓋２６は、複数の貫通孔２６ｄを有する。複数の貫通孔２６ｄの数は４であるものとして説明するが、これはあくまで一例である。貫通孔２６ｄの数は４以外であってもよい。通常、貫通孔２６ｄの数はペン２４の数と等しく設定される。実際に設置されるペン２４の数は、貫通孔２６ｄの数より少なくてもよい。複数の貫通孔２６ｄは中心孔２６ｆの周りを取り囲むように配置されている。中心孔２６ｆからは中心棒２９の先端が露出している。複数の貫通孔２６ｄの各々からは後端部２４ｂが露出している。後端部２４ｂはペン２４の一部である。ペンユニット２１をさらに異なる向きから見たところを図１４に示す。
【００１９】
ペンユニット支持機構２２に設けられた第１の磁気センサ２８ａ（図６、図９参照）は保持部蓋２６の磁石２６ｅ（図１２〜図１４参照）を検出するためのものである。第１の磁気センサ２８ａで磁石２６ｅを検出することによって、ペン保持部２３が回転の停止位置にあるか否かを検出することができる。
【００２０】
ペンユニット支持機構２２に設けられた第２の磁気センサ２８ｂ（図７、図９参照）は、保持部蓋２６の磁石２６ｅ（図１２〜図１４参照）を検出するためのものである。第２の磁気センサ２８ｂで磁石２６ｅを検出することによって、ペン保持部２３が正しく装着されているか否かを検出することができる。ペン保持部２３が所定の角度位置にあるときに、第２の磁気センサ２８ｂによって検出される対象が何もない場合には、ペン保持部２３が正しく装着されていないと判断することができる。この判断は、第１制御部８２（図１参照）によって行なうことができる。第１制御部８２は、ペン保持部２３が正しく装着されていないと判断した場合には、エラーメッセージを出すなどしてユーザにその旨を知らせることができる。本実施の形態では、前記所定の角度位置は、可動部２７が閉位置となる角度位置である。第２の磁気センサ２８ｂが磁石２６ｅを検出できるのは、ペン保持部本体２５（図１５参照）がペンユニット２１に正しく装着されており、かつ、保持部蓋２６がペン保持部本体２５に正しく装着されているときに限られるので、第２の磁気センサ２８ｂによる検出結果を参照することで、ペン保持部本体２５がペンユニット２１に正しく装着されているか否かだけでなく、保持部蓋２６がペン保持部本体２５に正しく装着されているか否かをも確認することができる。
【００２１】
本実施の形態では、第２の磁気センサ２８ｂで磁石２６ｅを検出することによって、ペン保持部２３が正しく装着されているか否かを検出することとしているが、これはあくまで一例である。ペンユニット支持機構２２には、第２の磁気センサ２８ｂに代えて、反射型の光センサが用いられてもよい。保持部蓋２６には、磁石２６ｅに代えて、光反射部が設けられてもよい。光反射部は、保持部蓋２６の外周面に全周にわたって形成されてもよい。この場合、ペン保持部２３の角度位置にかかわらず、ペン保持部２３が正しく装着されているか否かを検出することができる。
【００２２】
本実施の形態では、ペンユニット支持機構２２は、第３の磁気センサ２８ｃ（図６、図８、図９参照）をさらに備える。可動部２７には、磁石が設けられる。可動部２７が閉位置にあるとき、第３の磁気センサ２８ｃによって磁石を検出することができる。第３の磁気センサ２８ｃによって磁石を検出した位置を基準にして、ステッピングモータ４１を回転させることで、複数のペン２４の中のいずれかのペン２４のペン先２４ａを選択的に、覆い部本体２１ａの開口部２１ｒに対応する位置に移動させることができる。
【００２３】
ペン保持部２３を単独で取り出したところを図１５に示す。ペン保持部２３を異なる向きから見たところを図１６に示す。ペン保持部本体２５は複数のペン２４を保持している。複数のペン２４の各々の外周面の一部は、ペン保持部本体２５の外周に沿って露出している。ペン保持部本体２５は、外周面に溝２５ａを有する。溝２５ａは、ペン保持部本体２５の長手方向に沿って配置されている。ペン保持部２３の正面図を図１７に示す。
【００２４】
ペン２４を単独で取り出したところを図１８に示す。ペン２４は、ペン先２４ａと、後端部２４ｂと、中間部２４ｃとを備える。ペン先２４ａにはインクが含まれている。中間部２４ｃは、ペン先２４ａと後端部２４ｂとの間に配置されている。中間部２４ｃは、ほぼ円筒形の外面を有する。後端部２４ｂには、ペン先２４ａに配置されたインクの色を示すマークが配置されていてもよい。ペン２４は、油性ペンであってよい。
【００２５】
保持部蓋２６を単独で取り出したところを図１９に示す。保持部蓋２６を異なる向きから見たところを図２０に示す。保持部蓋２６の側面図を図２１に示す。保持部蓋２６の平面図を図２２に示す。図１９および図２２では、中心孔２６ｆの中にロック板２６ｇが見えている。ロック板２６ｇは、ボタン２６ａと一体的に形成されている。ボタン２６ａおよびロック板２６ｇを含む１枚の一体物の金属板が用意され、保持部蓋２６の内部に配置されている。ボタン２６ａを保持部蓋２６の中心軸に向かって押し込むことにより、ロック板２６ｇは図２２における下方に変位する。これにより、中心孔２６ｆの空間にロック板２６ｇが入り込まない状態が実現され、その結果、中心孔２６ｆに中心棒２９が出入り可能となる。図２１に示すように、保持部蓋２６のペン保持部本体２５に接する側の端面には、位置合せピン２６ｂが突出していてもよい。
【００２６】
表示部形成部２０から保持部蓋２６を取り外したところを図２３に示す。ペンユニット２１の後端に複数の後端部２４ｂが突出している。複数の後端部２４ｂに取り囲まれるようにして中心棒２９が突出している。中心棒２９は先端近傍にくびれ部を有する。くびれ部は、ロック板２６ｇと係合するための部分である。ロック板２６ｇがくびれ部に入り込むことにより、保持部蓋２６はロックされた状態、すなわち、保持部蓋２６はペン保持部２３から外れない状態となる。複数のペン２４は、後端部２４ｂを引っ張ることによってペンユニット２１から抜き取ることができる。複数のペン２４の全てを抜き取った状態を図２４に示す。ペンユニット２１の後端に複数のペン収容部２５ｄが開口している。ペン２４をペン収容部２５ｄに挿入することによって、図２３に示したようにペン２４を装着することができる。
【００２７】
図２５に示すように、本実施の形態における薬剤包装装置１０１は、薬剤を包材１０で包装する薬剤包装装置であって、包材１０に表示部を形成する表示部形成部２０と、複数の服用タイミングにわたって前記服用タイミングごとに表示パターンが関連付けられた組合せの集合体を含むデータの集合体を表示パターンセット７１と呼ぶこととしたときに、複数の表示パターンセット７１を含むデータの集合体である表示パターンマスタ７０を記憶する記憶部８４と、処方データ７２を受け付ける処方データ受付部８６と、包材１０に表示部を形成するように、表示部形成部２０を制御する制御部としての第２制御部８３とを備える。第２制御部８３による包材１０への表示部の形成は、処方データ受付部８６によって受け付けた処方データ７２と、記憶部８４に記憶された表示パターンマスタ７０に含まれる複数の表示パターンセット７１の中から選択された１つの表示パターンセット７１とに基づいて、前記服用タイミングに関連付けられた前記表示パターンに従って行なわれる。薬剤包装装置１０１は、表示パターンマスタ７０の編集を受け付ける編集受付部８５を備える。第２制御部８３は、包装機本体部８１の一部であってよい。
【００２８】
ユーザインタフェースの具体例を示しながら、上記構成について説明する。以下の図で示す操作画面は、図１に示した第１制御部８２のディスプレイ８２ａに表示されるものである。ユーザは、第１制御部８２のキーボード８２ｂなどの入力機器を用いて操作を行なう。第１制御部８２には、キーボード８２ｂの他にマウス（図示せず）などの入力機器が設けられていてもよい。物理的なキーボード８２ｂの存在は必須ではなく、ディスプレイ８２ａに表示されるソフトウェアキーボードを用いる方式であってもよい。ディスプレイ８２ａがタッチパネル機能を有していてもよい。ディスプレイ８２ａがタッチパネル機能を有する場合には、ユーザは表示されるメニュー画面を見ながら直感的に自分の指などで操作することができるので、好ましい。
【００２９】
まず、編集受付部８５によって図２６に示すような基本的なメニュー画面がウインドウ形式で表示される。ここでは、ウインドウの上部に作業の種類がいくつかのタブとして表示されているが、そのうちの１つである「メンテナンス」のタブ５０１を選択する。タブ５０１を選択したときに表示されるパネルの中には複数のボタンが表示されている。複数のボタンの中には、「ペンパターン」と表示されているボタン５０２が含まれる。ユーザがボタン５０２を押すと、図２７に示すような画面に切り替わる。ここでは、「ボタンを押す」と表現したが、これは、タッチパネル上で当該ボタンを直接指などで押すことを含むだけでなく、マウスカーソルを当該ボタンに合わせてクリックすることも含む。さらに、キーボードなどの操作によって当該ボタンを選択した状態にしてから何らかの決定キーを押すことも含む。以下の説明においても、ボタンなどのように画面表示された特定の部分を押すことに関して言及する箇所では同様の趣旨である。
【００３０】
図２７は編集受付部８５によって表示される画面の一例である。図２７では、ペンパターンコード「０００１」で特定される１つの表示パターンセットの内容が表示されている。各表示パターンセットには、特有のペンパターンコードが割り当てられている。ペンパターンコードは、個々の表示パターンセットを識別するための番号である。ここではペンパターンコードを４桁の数字としているが、これはあくまで一例であって数字の桁数は４桁とは限らない。ペンパターンコードは、数字以外の文字を含んでいてもよい。
【００３１】
コード表示部５０４は、ペンパターンコードを検索するためのボタンと、ペンパターンコードを入力するためのテキストボックスを含む。コード表示部５０４のテキストボックス内に何らかの文字が入力された状態でボタンが押された場合には、その入力された文字列を基に前方一致検索または完全一致検索した結果合致する表示パターンセットが表示される。
【００３２】
名称表示部５０５は、パターン名称を検索するためのボタンと、パターン名称を入力するためのテキストボックスを含む。名称表示部５０５のテキストボックス内に何らかの文字が入力された状態でボタンが押された場合には、その入力された文字列を基に前方一致検索または完全一致検索をした結果合致する表示パターンセットが表示される。すなわち、ユーザは、ペンパターンコードおよびパターン名称のうち少なくとも一方を手掛かりとして所望の表示パターンセットを表示させることができる。
【００３３】
ここで示す例では、ペンパターンコード０００１は、施設Ａのための表示パターンセット７１である。施設Ａとは、たとえば１つの医療機関である。ペンパターンコード０００１のパターン名称は「施設Ａ」として登録されている。ここでは、１つの医療機関のための表示パターンセット７１であるものとして例示したが、１つの医療機関の代わりに１人の患者のための表示パターンセットであってもよい。パターン名称は、当該表示パターンセット７１に付されるタイトルのようなものであるので、当該表示パターンセット７１を何のために作ったかによって、ユーザが自らのわかりやすさのために適宜決定してよい。
【００３４】
１つの表示パターンセット７１は、複数のペンの位置と色との関係を表すペン配置データ５１１を含む。図２７では、「ペン配置」として４種類のペンの色が長方形で表示されている。この部分の情報がペン配置データ５１１に相当する。特許出願の図面ではカラー表示ができないので、いずれの長方形も同じ色に見えているが、実際には、各ペンごとに異なる色で長方形が表示されている。たとえば、１番が赤、２番が青、３番が緑、４番が黒といった具合である。１番から４番という番号は、ペンユニット２１に保持されたペン保持部２３（図８参照）における４つのペン収容部２５ｄ（図２４参照）に対応する。図２７では、説明の便宜のために、赤をＲ、青をＢ、緑をＧ、黒をＢＫとして図中に文字で表示することとする。実際にはこのような文字は表示されずに単に当該色の長方形が表示されるのみであってよい。以下の図においても、色に関しては同様のルールを以て表示する。ここではペン配置データに含まれる色が４種類であるものとして説明しているが、色の種類の数は４に限らず他の数であってもよい。ペン収容部２５ｄの数が多くなればペン２４の数は多くすることができ、ペン配置データ５１１に含まれる色の数も多くすることができる。
【００３５】
１つの表示パターンセット７１は、服用タイミングごとに表示パターンが関連付けられたデータの集合体を含む。このデータの集合体は、「時期・時点ペン設定」というタイトルを付されてマトリックス５１２として表示されている。このマトリックス５１２の１要素が１つの「服用タイミング」に相当する。縦軸の「朝」、「昼」、「夕」という項目は「一日の中の時間帯を基準に定められる複数の時点」を示し、横軸の「食前」、「食直前」、「食間」、「食直後」、「食後」という項目は「食事、起床または就寝を基準に定められる複数の服用時期」に相当する。ここでは説明の単純化のために、横軸は食前、食直前、食間、食直後、食後の５項目のみとしているが、この他に、たとえば「起床時」、「寝る前」という項目が含まれていてもよい。各服用タイミングの枠の中には、当該服用タイミングに関連付けられた表示パターンが表示されている。ここでいう表示パターンとは、線の色の情報と線種の情報との組合せである。１つの表示パターンは、１つの色と１つの線種の組合せである。１つの表示パターンは、たとえば赤の実線であってもよく、青の破線であってもよい。各表示パターンの色としては、ペン配置データにおいて記憶されている色のうちの１つが選ばれる。特許出願の図面ではカラー表示ができないので、いずれの表示パターンも同じ色に見えているが、実際には、表示パターンは対応する色で表示されている。たとえば、「朝」の行にある表示パターンはいずれも赤で表示され、「昼」の行にある表示パターンはいずれも青で表示され、「夕」の行にある表示パターンはいずれも緑で表示されるといった具合である。マトリックス５１２内の各欄には丸で囲まれた番号が表示されているが、この番号は、「ペン配置」の欄に表示されているペンの番号に対応する。
【００３６】
図２７に示す画面において、ペン配置データ５１１として表示されている４つの長方形のいずれかが押されたときには、図２８に示すようにカラーパレットを選択するメニュー５０６が新たなウインドウとして開く。ここでは、一例としてメニュー５０６の中に１２種類の色の正方形が表示されている。ユーザはメニュー５０６に提示された色の選択肢の中から所望の色を選択することができる。図２８では、ペン配置の１番の選択し直しを行なっている。ユーザは、必要に応じて、ペン配置の１番から４番の各々について同様の作業を行って所望の色を設定することができる。
【００３７】
図２７に示す画面において、マトリックス５１２内のいずれか１つの欄を押したときには、図２９に示すように、色および線種を選択するメニュー５０７が新たなウインドウとして開く。メニュー５０７の中では、既にペン配置データ５１１として選択されている４種類の色および「色なし」の合計５つの選択肢から色を選ぶことができる。メニュー５０７では、色の他に線種も選択することができる。線種とは、たとえば実線、破線、点線、一点鎖線、二点鎖線などの種別を意味する。
【００３８】
図２７に示す画面の下部には、ボタン群５０３が表示されている。ボタン群５０３には、たとえば「削除」、「クリア」、「閉じる」、「登録」といったボタンが含まれている。「削除」のボタンが押されたときには、表示中の表示パターンセット７１を削除する。ただし、この場合も当該表示パターンセット７１を削除する前に、ユーザに対して、当該表示パターンセット７１を本当に削除してよいか尋ねることが好ましい。
【００３９】
「クリア」のボタンが押されたときには、表示パターンセット７１の内容は、図３０に示すように、初期値となる。ここでは、図３０では、コード表示部５０４および名称表示部５０５は、いずれも空欄となっている。図３０では、マトリックスの中に示される表示パターンは全て実線となっている。図２７において「閉じる」のボタンが押されたときには、ユーザに対して、終了してよいか否かを尋ねる。表示パターンセット７１の内容が変更されている場合には、ユーザに対して「データが変更されています。更新しますか？（はい（Ｙ）／いいえ（Ｎ）／キャンセル）」というメッセージを表示して回答を受け付ける。ユーザからの回答が「はい（Ｙ）」である場合には、表示パターンセットの内容を更新して図２６のメニュー画面に戻る。回答が「いいえ（Ｎ）」である場合には、表示パターンセット７１の内容を更新せずに図２６のメニュー画面に戻る。ユーザからの回答が「キャンセル」である場合には、メッセージを閉じ、引き続き図２７の画面が表示される。
【００４０】
図２７に示す画面において「登録」のボタンが押されたときには、ユーザに対して「登録しますか？（はい（Ｙ）／いいえ（Ｎ）／キャンセル）」というメッセージを表示して回答を受け付ける。回答が「はい（Ｙ）」である場合には、表示中の表示パターンセット７１を新規の表示パターンセット７１として登録し、図２６のメニュー画面に戻る。ただし、同一のペンパターンコードが既に他の表示パターンセット７１に用いられている場合には、ユーザに対してペンパターンコードが重複している旨を表示し、新規の表示パターンセット７１としての登録は行なわない。
【００４１】
（作用・効果）
本実施の形態では、記憶部８４に記憶された表示パターンマスタ７０の中に複数の表示パターンセット７１が含まれ、各表示パターンセット７１の中には、服用タイミングごとの表示パターンの情報が含まれているので、ユーザは所望の表示パターンセット７１を選択するだけで、当該表示パターンセット７１に従って包材１０への表示部の形成をすることができる。これにより、ユーザにとって、ペンなどの設定の手数を大幅に軽減することができる。
【００４２】
ここでは、表示部形成部がペンによって包材に表示部を形成する場合について説明したが、表示部を形成する際に用いるツールはペンに限らない。表示部形成部は、ペンの代わりにたとえばインクリボンによって表示部を形成することとしてもよい。表示部形成部は、ペンおよびインクリボンに限らずさらに他のツールによって包材に表示部を形成するものであってもよい。
【００４３】
本実施の形態で示したように、表示パターンマスタ７０の編集を受け付ける編集受付部８５をさらに備え（図２５参照）、前記服用タイミングは、食事、起床または就寝を基準に定められる複数の服用時期と一日の中の時間帯を基準に定められる複数の時点との組合せで表され、編集受付部８５は、表示パターンマスタ編集画面（図２７参照）を表示し、前記表示パターンマスタ編集画面には、選択された表示パターンセット７１ごとに前記服用タイミングと前記表示パターンとの対応関係がマトリックス表示され、前記マトリックス表示の行および列のうち一方には、前記複数の服用時期が表示され、前記マトリックス表示の行および列のうち他方には、前記複数の時点が表示され、前記マトリックス表示の個々の要素として、前記表示パターンが表示され、編集受付部８５は、前記マトリックス表示の個々の要素ごとに、前記表示パターンの編集を受け付けること（図２９参照）が好ましい。この構成を採用することにより、各服用タイミングに対する表示パターンがマトリックス形式で一覧表示されているので、ユーザは表示パターンセットの内容を把握しやすい。また、ユーザにとってわかりやすいので、編集すべき対象である服用タイミングを選択することも容易となる。
【００４４】
本実施の形態で示したように、表示部形成部２０は、複数のペン２４を保持するペン保持部２３と、ペン保持部２３によって保持された複数のペン２４を選択的に、包材１０に対して当接または離隔させるように、ペン保持部２３を駆動する駆動機構としてのペンユニット支持機構２２とを備え、表示パターンセットは、ペン保持部２３によって保持される複数のペン２４の、位置と色との関係を表すペン配置データ５１１を含み、表示パターンマスタ編集画面（図２７）には、ペン配置データ５１１の内容がさらに表示され、編集受付部８５（図２５）は、ペン配置データ５１１の編集を受け付けること（図２８）が好ましい。この構成を採用することにより、駆動機構の働きにより、複数のペン２４の中から所望のペン２４を容易に選んで包材１０に当接させることができる一方、ユーザはペン配置データ５１１を容易に編集することができる。ここでいう駆動機構とは、たとえばペンユニット支持機構２２である。
【００４５】
編集受付部８５は、ペン配置データ５１１の編集を受け付けたとき、その編集結果を、前記表示パターンマスタ編集画面（図２７）にマトリックス表示される、表示パターンセット７１の前記服用タイミングと前記表示パターンとの対応関係に反映させることが好ましい。この構成を採用することにより、ユーザにとって編集作業が容易となる。
【００４６】
編集受付部８５は、複数の表示パターンセット７１のうち一の表示パターンセットについて、ペン配置データ５１１の編集を受け付けたとき、当該ペン配置データ５１１と、複数の表示パターンセット７１のうち他の表示パターンセットのペン配置データ５１１とを比べて、色の組合せが同じで位置が異なるのみであるか否かを判断し、色の組合せが同じで位置が異なるのみであると判断すると、前記一の表示パターンセットにおけるペン配置データ５１１を、前記他の表示パターンセットにおける前記ペン配置データ５１１に置き換えるか否かをユーザに問い合わせ、置き換える旨の回答を受け付けると、前記一の表示パターンセットにおけるペン配置データ５１１を、前記他の表示パターンセットにおけるペン配置データ５１１に置き換えることが好ましい。この構成を採用することにより、ペン２４の配置換え作業を減らすことができる。たとえば図３１に示すような内容でペン配置データ５１１ａを登録しようとしたとき、図３２に示すようなペン配置データ５１１ｂが既に登録されているとする。ペン配置データ５１１ａの内容は、ペン配置データ５１１ｂの内容を並び替えるだけで得られるものである。このような場合には、ユーザに対して、ペン配置データ５１１ａをペン配置データ５１１ｂに置き換えるか否かを問い合わせる。置き換える旨の回答をユーザから受けたときには、ペン配置データ５１１ａをペン配置データ５１１ｂに置き換える。この場合、ペン配置データ５１１ａの登録は行なわれない。
【００４７】
（実施の形態２）
（構成）
図３３〜図３４を参照して、本発明に基づく実施の形態２における薬剤包装装置について説明する。図３３に示すように、本実施の形態における薬剤包装装置１０２では、記憶部８４には、指定区分マスタ７３がさらに記憶されている。指定区分マスタ７３には、指定された区分ごとに、複数の表示パターンセット７１のうちの１つを関連付けて登録可能である。処方データ７２は、区分を表すデータを含む。制御部としての第２制御部８３は、処方データ受付部８６によって受け付けた処方データ７２と、記憶部８４に記憶された指定区分マスタ７３とに基づいて、表示パターンマスタ７０に含まれる複数の表示パターンセット７１のうちの１つを選択する。
【００４８】
指定区分マスタ７３の内容を編集するための画面の一例を図３４に示す。「処方区分」とは、入院、外来、入院定期、入院臨時などの種別を意味する。「医療機関」とは、Ａ病院、Ｂ病院などの種別を意味する。「診療科」とは、内科、外科などの種別を意味する。「ペンパターン」と書かれたボタンを押すことによって、当該指定区分に関連付けるべき表示パターンセット７１を、表示パターンマスタ７０に含まれる複数の表示パターンセット７１の中から選択して設定することができる。ただし、ここで選択肢として表示される複数の表示パターンセット７１は予め登録されたものに限られる。
【００４９】
薬剤包装装置１０２におけるその他の部分の構成は、実施の形態１で説明したものと基本的に同様である。
【００５０】
（作用・効果）
本実施の形態では、第２制御部８３が指定区分マスタ７３を参照することによっていずれの表示パターンセット７１を用いるべきかが特定されるので、ユーザにとって表示パターンセット７１の選択の手間が省ける。
【００５１】
（実施の形態３）
（構成）
図３５を参照して、本発明に基づく実施の形態３における薬剤包装装置について説明する。
【００５２】
本実施の形態における薬剤包装装置１０３では、図３５に示すように、記憶部８４には、指定区分マスタ７３の代わりに患者マスタ７４が記憶されている。患者マスタ７４には、患者ごとに、複数の表示パターンセット７１のうちの１つを関連付けて登録可能である。処方データ７２は、患者を表すデータを含む。制御部としての第２制御部８３は、処方データ受付部８６によって受け付けた処方データ７２と、記憶部８４に記憶された患者マスタ７４とに基づいて、表示パターンマスタ７０に含まれる複数の表示パターンセット７１のうちの１つを選択する。
【００５３】
薬剤包装装置１０３におけるその他の部分の構成は、実施の形態１で説明したものと基本的に同様である。
【００５４】
（作用・効果）
本実施の形態では、第２制御部８３が患者マスタ７４を参照することによって患者に対して決められた表示パターンセットが特定されるので、ユーザにとって表示パターンセット７１の選択の手間が省ける。
【００５５】
（実施の形態４）
（構成）
図３６を参照して、本発明に基づく実施の形態４における薬剤包装装置について説明する。
【００５６】
本実施の形態における薬剤包装装置１０４では、図３６に示すように、記憶部８４には、指定区分マスタ７３および患者マスタ７４の両方が記憶される。指定区分マスタ７３は、指定された区分ごとに、複数の表示パターンセット７１のうちの１つを関連付けて登録可能である。患者マスタ７４は、患者ごとに、複数の表示パターンセット７１のうちの１つを関連付けて登録可能である。処方データ７２は、区分を表すデータおよび患者を表すデータを含む。制御部としての第２制御部８３は、処方データ受付部８６によって受け付けた処方データ７２と、記憶部８４に記憶された、指定区分マスタ７３および患者マスタ７４とに基づき、かつ、指定区分マスタ７３よりも患者マスタ７４を優先的に適用して、表示パターンマスタ７０に含まれる複数の表示パターンセット７１のうちの１つを選択する。
【００５７】
薬剤包装装置１０４におけるその他の部分の構成は、実施の形態１で説明したものと基本的に同様である。
【００５８】
（作用・効果）
本実施の形態では、第２制御部８３が、指定区分と患者との両方を考慮し、より的確な表示パターンセット７１を自動的に選択することができるので、ユーザにとって表示パターンセット７１の選択の手間が省ける。
【００５９】
なお、上記実施の形態のうち複数を適宜組み合わせて採用してもよい。
なお、今回開示した上記実施の形態はすべての点で例示であって制限的なものではない。本発明の範囲は特許請求の範囲によって示され、特許請求の範囲と均等の意味および範囲内でのすべての変更を含むものである。
【符号の説明】
【００６０】
１  薬剤、１０  包材、１０ａ  左側部、１０ｂ  右側部、１０ｃ  底部、１１  ホッパシュート、１２  ホッパ部材、１３  （包装シートの）ロール、１４  シール機構、１６  送りローラ、１７  ガイドバー、２０  表示部形成部、２１  ペンユニット、２１ａ  覆い部本体、２１ｒ  開口部、２２  ペンユニット支持機構、２３  ペン保持部、２４  ペン、２４ａ  ペン先、２４ｂ  後端部、２４ｃ  中間部、２５  ペン保持部本体、２５ａ  溝、２５ｄ  ペン収容部、２６  保持部蓋、２６ａ  ボタン、２６ｂ  位置合せピン、２６ｄ  貫通孔、２６ｅ  磁石、２６ｆ  中心孔、２６ｇ  ロック板、２７  可動部、２８ａ  第１の磁気センサ、２８ｂ  第２の磁気センサ、２８ｃ  第３の磁気センサ、２９  中心棒、３０  ペン保持部ソケット、３１  覆い部、４１，４２  ステッピングモータ、４３  歯車、６１  錠剤投入部、６２ａ，６２ｂ  散剤投入口、６３  前扉、６４  取出し口、６５  清掃ノズル、６６  ホース、６７  ホッパ部材入口、６８  ホッパ部材出口、７０  表示パターンマスタ、７１  表示パターンセット、７２  処方データ、７３  指定区分マスタ、７４  患者マスタ、８１  包装機本体部、８２  第１制御部、８２ａ  ディスプレイ、８２ｂ  キーボード、８３  第２制御部、８４  記憶部、８５  編集受付部、８６  処方データ受付部、９０  軸線、９２，９３，９６  矢印、９４  第１回動方向、９５  第２回動方向、９７  基準角度位置、１０１，１０２，１０３，１０４  薬剤包装装置、５０１  タブ、５０２  ボタン、５０３  ボタン群、５０４  コード表示部、５０５  名称表示部、５０６  （色を選択させる）メニュー、５１１，５１１ａ，５１１ｂ  ペン配置データ、５１２  マトリックス。
【図１】
2019017850.tif 000003
【図２】
2019017850.tif 000004
【図３】
2019017850.tif 000005
【図４】
2019017850.tif 000006
【図５】
2019017850.tif 000007
【図６】
2019017850.tif 000008
【図７】
2019017850.tif 000009
【図８】
2019017850.tif 000010
【図９】
2019017850.tif 000011
【図１０】
2019017850.tif 000012
【図１１】
2019017850.tif 000013
【図１２】
2019017850.tif 000014
【図１３】
2019017850.tif 000015
【図１４】
2019017850.tif 000016
【図１５】
2019017850.tif 000017
【図１６】
2019017850.tif 000018
【図１７】
2019017850.tif 000019
【図１８】
2019017850.tif 000020
【図１９】
2019017850.tif 000021
【図２０】
2019017850.tif 000022
【図２１】
2019017850.tif 000023
【図２２】
2019017850.tif 000024
【図２３】
2019017850.tif 000025
【図２４】
2019017850.tif 000026
【図２５】
2019017850.tif 000027
【図２６】
2019017850.tif 000028
【図２７】
2019017850.tif 000029
【図２８】
2019017850.tif 000030
【図２９】
2019017850.tif 000031
【図３０】
2019017850.tif 000032
【図３１】
2019017850.tif 000033
【図３２】
2019017850.tif 000034
【図３３】
2019017850.tif 000035
【図３４】
2019017850.tif 000036
【図３５】
2019017850.tif 000037
【図３６】
2019017850.tif 000038